(57)【要約】【課題】  車両環境に応じて運転者が好むジャンルのオーディオ信号を再生できるようにする。【解決手段】  ナビゲーションユニット１は車両に搭載されていて、音源から出力されるオーディオ信号を再生する車載用オーディオ装置を兼用している。そして、制御回路８は車両の環境条件と音源のジャンルとを関係付けて登録可能な登録手段と、前記車両環境についての情報と前記登録手段に登録された車両環境条件とが合致するか否かを判定する判定手段と、この判定手段により前記合致が判定されたときに当該環境条件と関係付けられたジャンルのオーディオ信号を再生する再生制御手段として機能する。【選択図】  図１
2005145322.tif 000002
【特許請求の範囲】
【請求項１】
車両に搭載され、音源から出力されるオーディオ信号を再生する車載用オーディオ装置において、
車両の環境条件と音源のジャンルとを関係付けて登録可能な登録手段と、
前記車両環境についての情報と、前記登録手段に登録された車両環境条件とが合致するか否かを判定する判定手段と、
この判定手段により前記合致が判定されたときに当該環境条件と関係付けられたジャンルのオーディオ信号を再生する再生制御手段と
を備えてなることを特徴とする車載用オーディオ装置。
【請求項２】
前記請求項１記載の車載用オーディオ装置において、
前記車両は、車両位置情報と地図情報とに基づいて走行経路の案内を行うナビゲーション装置を備え、
前記登録手段は、車両環境条件と音源のジャンルとを関係付けて登録可能であると共に、車両位置条件と音源のジャンルとを関係付けて登録可能であり、
前記判定手段は、車両環境についての情報と前記登録手段に登録された環境条件とが合致するか否かを判定すると共に、前記車両位置情報と前記登録手段に登録された車両位置条件とが合致するか否かを判定し、
前記再生制御手段は、この判定手段により、環境情報と前記登録手段に登録された環境条件とが合致することが判定されたときに当該環境条件と関係付けられたジャンルのオーディオ信号を再生すると共に、車両位置情報と前記登録手段に登録された車両位置条件とが合致することが判定されたときに当該車両位置条件と関係付けられたジャンルのオーディオ信号を再生することを特徴とする車載用オーディオ装置。
【請求項３】
請求項１の車載用オーディオ装置において、
前記車両は車両情報を発生する車両情報発生手段を備え、
前記登録手段は、車両環境条件と音源のジャンルとを関係付けて登録可能であると共に、車両条件と音源のジャンルとを関係付けて登録可能であり、
前記判定手段は、車両環境についての情報と前記登録手段に登録された環境条件とが合致するか否かを判定すると共に、前記車両情報と前記登録手段に登録された車両条件とが合致するか否かを判定し、
前記再生制御手段は、この判定手段により、環境情報と前記登録手段に登録された環境条件とが合致することが判定されたときに当該環境条件と関係付けられたジャンルのオーディオ信号を再生すると共に、車両情報と前記登録手段に登録された車両条件とが合致することが判定されたときに当該車両条件と関係付けられたジャンルのオーディオ信号を再生することを特徴とする車載用オーディオ装置。
【請求項４】
請求項１ないし請求項３に記載の車載用オーディオ装置において、
車両環境情報は、車両外部の環境情報を含んでいることを特徴とする車載用オーディオ装置。
【請求項５】
請求項１ないし３に記載の車載用オーディオ装置において、
車両環境情報は、車両内部の環境情報を含んでいることを特徴とする車載用オーディオ装置。
【請求項６】
請求項１ないし５に記載の車載用オーディオ装置において、
登録手段は、優先順位を指定して登録可能であることを特徴とする車載用オーディオ装置。
【発明の詳細な説明】
【技術分野】
【０００１】
本発明は車両の環境に応じたオーディオ信号を再生することが可能な車載用オーディオ装置に関する。
【背景技術】
【０００２】
従来より、自動車の運転者が車載用オーディオ装置により音源のオーディオ信号を再生しながら、運転することは日常的なこととして行われている。上記音源としては、ＣＤオートチェンジャーのＣＤメディアであったり、カーラジオ（地上波デジタル放送、アナログ放送）であったり、ＭＰ３（MPEG Audio Layer-3）、ＤＶＤプレーヤーであったりする。
【０００３】
上記音源のオーディオ信号を再生するについて、車両位置情報と地図情報とに基づいて走行経路の案内を行うナビゲーション装置を備えた車両においては、車両位置に応じて音源のジャンル（これは、上記ＣＤメディア、カーラジオ、ＭＰ３、ＤＶＤメディアであったり、音楽音源（ＣＤメディアやＭＰ３やＤＶＤメディア）の中の特定曲であったりする）を再生する構成としている（特許文献１）。あるいは、自動車の車両情報（例えば速度）に応じた音源のジャンルを再生するようにしたものもある（特許文献２）。
【特許文献１】特開平１３−１９９２８５号公報
【特許文献２】特開平１５−０１４４６８号公報
【発明の開示】
【発明が解決しようとする課題】
【０００４】
ところで、音源の例えば音楽を再生する場合には、運転者は、自動車の環境に応じてその音楽のジャンルを選ぶことが多い。つまり、外気温度や、晴れや雨等、さらには、昼夜といった環境や、車内のエアコンによる温度といった環境に応じて音楽のジャンルを選んだりすることが多いが、従来の車載用オーディオ装置においては、そのようなニーズに対応できていないというのが実情であった。
【０００５】
本発明は上記の事情に鑑みてなされたものであり、その目的は、車両環境に応じて運転者が好むジャンルのオーディオ信号を再生できる車載用オーディオ装置を提供するにある。
【課題を解決するための手段】
【０００６】
上記の目的を達成するために、請求項１の発明では、登録手段に、車両の環境条件と音源のジャンルとを関係付けて登録しておき、判定手段により、前記車両環境についての情報と、前記登録手段に登録された車両環境条件とが合致するか否かを判定するようにし、再生制御手段が、この判定手段により前記合致が判定されたときに当該環境条件と関係付けられたジャンルのオーディオ信号を再生するようにしたから、車両の環境に合わせた所望のオーディオ信号を再生することができる。従って、ユーザーは、晴れや雨など、あるいは気温、または車内温度などの環境に合わせて自分の好みの音源のジャンルを登録しておけば、その環境で、ユーザーが快適と感じるオーディオ信号を再生することができる。
【０００７】
また、請求項２の発明においては、車両位置情報と地図情報とに基づいて走行経路の案内を行うナビゲーション装置を備えた車両において、車両環境に応じたジャンルのオーディオ信号を再生可能できるほかに、車両位置情報に応じたジャンルのオーディオ信号の再生も可能となる。従って、周囲の景観などに応じてユーザーがマッチングすると感じるオーディオ信号も再生できる。
【０００８】
請求項３の発明においては、車両情報を発生する車両情報発生手段を備えた車両において、車両環境に応じたジャンルのオーディオ信号を再生可能できるほかに、車両情報に応じたジャンルのオーディオ信号の再生も可能となる。従って、車両の巡航速度や、渋滞に応じてマッチングすると感じるオーディオ信号の再生もできる。
請求項４の発明においては、車両外部の環境情報に応じて好みのオーディオ信号を再生することができる。従って、外気温度や天候などの気象、あるいは昼夜などの外部の明るさなどにマッチングしたオーディオ信号を再生できる。
【０００９】
請求項５の発明においては、車両内部の環境情報に応じて好みのオーディオ信号を再生することができる。従って、空調機器の設定温度などにマッチングしたオーディオ信号を再生できる。
請求項６の発明においては、車両の環境条件と音源との関係付けの登録に優先順位をつけ得るから、環境条件が重なった場合にユーザーの優先順位の高いほうのオーディオ信号を再生でき、快適性が向上する。
【発明を実施するための最良の形態】
【００１０】
以下、本発明の一実施例について図面を参照しながら説明する。図１には、本実施例によるオーディオ一体型カーナビゲーションシステムの電気的構成の概略が機能ブロックの組み合わせにより示されている。この図１において、ナビゲーションユニット１（車載オーディオ装置、ナビゲーション装置に相当）は、車両内ＬＡＮ２に接続されており、このＬＡＮ２には、地上波デジタル放送受信機（音源）３、アナログ受信機（音源）４、ナビゲーション用案内音声の再生やオーディオ信号を再生するためのスピーカシステム５、地図画面表示用のＬＣＤパネル６などを備えたディスプレイシステム７などが接続されている。
【００１１】
上記ナビゲーションユニット１は、制御回路８（登録手段、判定手段、再生制御手段に相当）、位置検出器９、操作スイッチ群１０、ＶＩＣＳ受信機１１、地図情報などを記録したＤＶＤメディア１２ａがセットされるＤＶＤプレーヤ１２、複数枚のオーディオ用ＣＤメディア１３ａ（音源）をセット可能なＣＤオートチェンジャ１３、リモコンセンサ１４、制御回路８を前記車両内ＬＡＮ２に接続するためのＬＡＮボードを備えたＩ／Ｏインタフェース１５を内蔵した構成となっている。
【００１２】
制御回路８は、ナビゲーションユニット１の動作全般を制御する機能を有しており、マイクロコンピュータを主体にして構成されている。即ち、制御回路８は、ＣＰＵ、ＲＯＭ、ＲＡＭ、Ｉ／Ｏインタフェース及びこれらを接続するバスなど（何れに図示せず）を備えた構成となっている。これらのうち、ＲＯＭにはカーナビゲーション用のプログラムが格納され、ＲＡＭにはプログラム実行時の一時データやＤＶＤプレーヤ１２から取得した地図情報などが一時的に格納される。
【００１３】
位置検出器９は、例えば、地磁気センサ１６、ジャイロスコープ１７、距離センサ１８及びＧＰＳ受信機１９から構成されており、車両の現在位置を示す位置情報を算出する部分である。この位置検出器９は、各構成要素が性質の異なる検出誤差を有するため、互いに検出誤差を補間しながら精度の高い位置検出を行うようになっているが、要求される検出精度で現在位置を算出可能であれば全部の構成要素を備える必要ない。また、ステアリングホイールの回転センサや各タイヤの回転を検出する車輪センサなどを組み合わせて位置検出器９を構成しても良い。
【００１４】
操作スイッチ群１０は、各種のデータや設定事項などの操作入力を制御回路８に与えるために設けられている。この操作スイッチ群１０は、例えばナビゲーションユニット１のケースに設けられたメカニカルスイッチにより構成されるものであるが、例えば、前記ディスプレイシステム７が有するＬＣＤパネル６上に形成されたタッチスイッチなどにより構成することもでき、この場合には、制御回路８に対し車両内ＬＡＮ２を通じて操作入力が与えられることになる。また、リモコンセンサ１４も操作入力手段として設けられたもので、周知構成のリモコン２０からの操作入力を受信して制御回路８に与えるようになっている。
【００１５】
ＶＩＣＳ受信機１１は、光／電波ビーコンからの情報信号やＦＭ多重放送による情報信号を受信して制御回路８に与える周知構成のものである。また、ＤＶＤプレーヤ１２は、ＤＶＤメディア１２ａからデータを読み取って制御回路８に与えるために設けられたものであるが、ＣＤメディアにも対応している。この場合、ＤＶＤメディア１２ａには、多種類の地図描画用データ及びマップマッチング用データのような地図情報の他に、施設名称を例えば５０音順に並べた施設名称データベース、この施設名称データベース内の各施設についての具体的情報（施設名称、職種などの区分を示すジャンル名、施設の位置データ（経緯度データ）など）を網羅した施設データベース、電話番号と施設の対応を示す電話番号データベースなど、種々のデータが記憶されている。
【００１６】
ＣＤオートチェンジャ１３は、予めセットされた複数枚のオーディオ用ＣＤメディア１３ａに記録されたオーディオ信号を任意の順序で出力できるように構成されたもので、その動作全般が制御回路８により制御されるようになっている。この場合、ＣＤオートチェンジャ１３から出力されたオーディオ信号は、Ｉ／Ｏインタフェース１５、車両内ＬＡＮ２を通じてスピーカシステム５に与えられるようになっている。尚、このスピーカシステム５は、アンプを内蔵しており、与えられたオーディオ信号をアナログ信号化した後に増幅して出力するという再生動作を行う構成となっている。
【００１７】
尚、制御回路８には、車両速度を検出するように設けられた図示しない車速センサ（車両情報発生手段）から出力される車速信号（車両情報に相当）が与えられるようになっている。さらにまた、車両環境情報のうちの車両外部の環境情報として、車外（車両外部）の温度を検出する図示しない温度センサからの外気温度検出信号、雨の有無を検出する図示しないレインセンサから雨検出信号、昼夜を検出する図示しない光センサからの昼夜検出信号が与えられる。
【００１８】
また、車両内部の環境情報として図示しない空調機器から空調温度設定信号、リクライニング角度検出信号も与えられるようになっている。このリクライニング角度検出信号は、例えば運転席の背もたれの角度を検出するように設けられた図示しない角度センサ（例えばロータリーエンコーダ）から与えられる。また、前記制御回路８には、大容量記録媒体（例えばハードディスク）を備えていて、ＭＰ３形式で音源が記録可能となっている。
【００１９】
制御回路８は、使用者が操作スイッチ群１０やリモコン２０を操作して目的地を設定するのに応じて、位置検出器９を通じて得た車両位置情報とＤＶＤプレーヤ１２を通じて得た地図情報とに基づき、現在位置から目的地までの最適経路を案内経路として自動的に設定したり、現在位置を地図上に位置付けるマップマッチング処理を実行したりするなどのナビゲーション機能、ＤＶＤプレーヤ１２及びＣＤオートチェンジャ１３、地上波デジタル放送受信機３、アナログ受信機４を通じた通常のオーディオ信号再生機能の他に、図２及び図３に示すような処理フローを実行する機能を備えている。
【００２０】
図２及び図３は、制御回路８による制御内容のうち、本発明の要旨に関係したオーディオ制御機能の内容を示すものであり、以下これについて関連した作用と共に説明する。図３には、上記オーディオ制御機能を働かせるのに必要な初期設定を行うための初期設定処理ルーチンの内容が示されている。この初期設定処理ルーチンは、例えば操作スイッチ群１０或いはリモコン２０を通じて所定の操作入力があったときに開始されるものであり、まず、最初に再生音切替条件設定ルーチンＳ１を実行する。
【００２１】
このルーチンＳ１では、例えば、ディスプレイシステム７が有するＬＣＤパネル６に対し、種々の車両の内部環境条件及び外部環境条件を表示する。内部環境条件としては、天候の「晴れ」、「雨」、「昼」、「夜」、「外気温度０℃以下」、「外気温度０℃超〜１０℃以下」、「外気温度１０℃超〜２０℃以下」、「外気温度２０℃超〜３０℃以下」、「外気温度３０℃超」を表示させ、また外部環境条件としては、「空調設定温度２５℃以下」、「リクライニングの有り」、車両位置条件としては「車両位置指定」、車両条件としては「車両速度」を、画面上に一覧として、あるいは順次スクロール操作により切替えて表示させる。
【００２２】
これらの表示された項目のうち、「晴れ」、「雨」、「昼」、「夜」、「外気温度０℃以下」、「外気温度０℃超〜１０℃以下」、「外気温度１０℃超〜２０℃以下」、「外気温度２０℃超〜３０℃以下」、「外気温度３０℃超」、「空調設定温度２５℃以下」、「リクライニングの有り」について、ユーザーが操作スイッチ群１０或いはリモコン２０を通じて所定の選択操作をすると、当該表示された条件がオーディオ信号再生の条件として選択設定される。
【００２３】
また、「車両位置指定」が選択操作されると、所定の操作に基づいて、地図画面を表示させ、その画面上の任意位置をマーキングし、そのマーキング位置から半径何ｋｍというように指定した範囲を車両位置条件として設定する。この設定された条件がオーディオ信号再生の条件として選択設定される。
また「車両速度」が選択操作されると、続いて所定の操作に基づいて、その速度範囲を車両条件として設定する。この車両条件がオーディオ信号の再生条件として選択設定される。
【００２４】
次に再生音登録ルーチンＳ２を実行する。すなわち、ＬＣＤパネル６に、選択設定された条件を表示すると共に、ジャンルを表示する。このジャンルとしては、ＣＤオートチェンジャ１３のＣＤチャンネルの「チャンネル番号」（例えばＣＤオートチェンジャ１３がＣＤメディア１３ａを１０枚収納タイプの時にはチャンネル「１」〜「１０」）、ＭＰ３形式で記録した多数の曲の「曲名」（もしくは曲順）、「アナログ放送」、「地上波デジタル放送」の項目が表示される。これらジャンルの項目の一つが選択されると、このジャンルと前記選択設定された条件とを関係付けて登録（前記ＲＡＭに記憶）する。
【００２５】
この後、他の切替条件を設定するか否かの判断ステップ３を実行する。この場合、ＬＣＤパネル６に他の切替条件を設定するか否かの表示をし、ユーザーにより設定する主旨の操作入力があると（このステップ３の「ＹＥＳ」）、前述のルーチンＳ１、Ｓ２が実行され、別の条件と音源のジャンルとが関係付けられることになる。
そして、ユーザーによる関係付けの登録が終了すると（ステップＳ３の「ＮＯ」）、優先順位設定判断ステップＳ４を実行する。この場合、ＬＣＤパネル６に、登録項目に優先順位をつけるか否かの主旨の表示をし、ユーザーにより設定する主旨の操作入力があると（このステップＳ４の「ＹＥＳ」）、優先順位設定ルーチンＳ５を実行する。
【００２６】
この優先順位設定ルーチンでは、ルーチンＳ１、Ｓ２で登録された条件を表示し、各条件についてユーザーによる優先順位設定の操作入力があると優先順位を設定する。この後、継続操作判断ステップＳ６を実行する。この場合、ＬＣＤパネル６に操作継続するか否かの表示をし、ユーザーにより継続する主旨の操作入力があると（このステップ６の「ＹＥＳ」）、前述のルーチン１に戻り、継続しない主旨の操作入力があると（このステップ６の「ＮＯ」）、終了操作判断ステップＳ７に移行し、終了操作があると（このステップＳ７の「ＹＥＳ」）、この初期設定処理ルーチンを終了してリターンする。
【００２７】
なお、各条件と登録ジャンルとの組み合わせの目安として、参考的に述べると、「晴れ」の場合には比較的伸びやかな曲でも良いし、「雨」の場合には雨にちなんだ曲でも良い。また、「昼」の場合にはアップテンポの曲でも良いし、「夜」の場合は静かな曲でも良い。「外気温度０℃以下」の場合には冬にちなんだ曲でも良いし、「外気温度０℃超〜１０℃以下」の場合には冬もしくは早春あるは晩秋にちなんだ曲でもいいし、「外気温度１０℃超〜２０℃以下」の場合には春や秋にちなんだ曲でもいいし、「外気温度２０℃超〜３０℃以下」は初夏や初秋にちなんだ曲でもよい。また、「外気温度３０℃超」の場合には、夏向きの曲でも良い。さらに「空調設定温度２５℃以下」の場合には、外が暑くて車内を涼しくしたい状況であることも多く、夏向きの曲でも良い。なお、これら温度範囲は変更し得るようにしても良い。
【００２８】
また、「リクライニングの有り」の場合には、運転者が運転を止め座席を倒して休息する状況であることも多く、イージーリスニングなどでも良い。「車両位置指定」の場合には、走行する位置の周囲景観を考慮して曲を設定してもよく、また、「車両速度」は車両速度に応じて適宜の曲を設定しても良い。
次にオーディオ信号の再生制御について図２を参照して説明する。再生切替条件成立判断ステップＰ１では、自動車の走行時あるいは停止時において、現在の情報（車両環境についての情報、車両位置情報、車両情報）が、登録された条件と合致するか否かを判断し、合致すれば、重複条件の有無判断ステップＰ２に移行し、重複している条件が有るかどうかを判断する。例えば、「晴れ」という登録条件と「昼」という登録条件とは重複することが多い。
【００２９】
重複が有る場合には、優先順位設定有無判断ステップＰ３に移行して優先順位の設定が有れば、ルーチン４に移行して最優先順位の条件に該当するオーディオ信号を選択し、そして再生ルーチンＰ５に移行してスピーカーシステム５を通じて再生を開始する。そして、再生切替条件終了判断ステップＰ６に移行し、現在の情報が、登録された条件と合致しない状態となったかを判断し、合致しない状態となれば、再生動作停止ルーチンＰ７に移行して再生動作を停止し、再生前状態復元判断ステップＰ８に移行する。このステップＰ８にて、ユーザーにより再生前状態に復元する設定がなされると、復元ルーチンＰ９に移行して、再生前のオーディオ信号を復元する（例えば再生前にカーラジオが再生されていた場合には、カーラジオが再生される）。前記ステップＰ３にて、優先順位の設定がないことが判断されると、ルーチン４をジャンプしてルーチンＰ５に移行する。
【００３０】
このように本実施例によれば、車両の環境条件と音源のジャンルとを関係付けて登録しておき、前記車両環境についての情報と、登録された車両環境条件とが合致するか否かを判定するようにし、前記合致が判定されたときに当該環境条件と関係付けられたジャンルのオーディオ信号を再生するようにしたから、車両の環境に合わせた所望のオーディオ信号を再生することができる。従って、ユーザーは、晴れや雨など、あるいは気温、または車内温度などの環境に自分の好みの音源のジャンルを登録しておけば、その環境で、ユーザーが快適と感じるオーディオ信号を再生することができる。
【００３１】
また、本実施例によれば、車両位置情報に応じたジャンルのオーディオ信号の再生も可能となる。従って、周囲の景観などに応じてユーザーがマッチングすると感じるオーディオ信号も再生できる。また、車両速度などの車両情報に応じたジャンルのオーディオ信号の再生も可能となる。従って、車両の巡航速度や、渋滞に応じてマッチングすると感じるオーディオ信号の再生もできる。
【００３２】
また、車両の環境情報として車両外部の環境情報に応じてマッチングすると感じるオーディオ信号を再生することができ、外気温度や天候などの気象、あるいは昼夜などの外部の明るさなどにマッチングしたオーディオ信号を再生できる。さらに、車両内部の環境情報に応じてマッチングすると感じるオーディオ信号を再生することができ、空調機器の設定温度やリクライニングの状態などにマッチングしたオーディオ信号を再生できる。
【００３３】
さらにまた、車両の環境条件と音源との関係付けの登録に優先順位をつけ得るから、環境条件が重なった場合にユーザーの優先順位の高いほうのオーディオ信号を再生でき、快適性が向上する。
なお、本発明は上記実施例に限られず、次のように変更して実施することもできる。
すなわち、登録された条件一つに対して関係付けする音源のジャンル数は複数でも良く、この場合、そのジャンルの優先順位を設定するようにしておくと良い。音源のジャンルとしては、落語とか、ユーザーが記録あるいは作成した音源のものでも良い。さらに、車両内部環境条件としては、「サンルーフ開放」や「オープンカー設定」を加えても良く、この場合には、音源のジャンルとしては軽快な音楽としても良い。
【図面の簡単な説明】
【００３４】
【図１】本発明の一実施例を示す全体の電気的構成図
【図２】制御回路による制御内容を示すフローチャート（その１）
【図３】制御回路による制御内容を示すフローチャート（その２）
【符号の説明】
【００３５】
図面中、１はナビゲーションユニット（車載用オーディオ装置、ナビゲーション装置）、３は地上波デジタル受信機（音源）、４はアナログ受信機（音源）、５はスピーカシステム、８は制御回路（登録手段、判定手段、再生制御手段）、１２はＤＶＤプレーヤ、１３はＣＤオートチェンジャ、１３ａはＣＤメディア（音源）を示す。
【図１】
2005145322.tif 000003
【図２】
2005145322.tif 000004
【図３】
2005145322.tif 000005